(57)【要約】【課題】簡単な構造で、動力伝達効率の低下や耐久性の低下を伴うことなく、弦振動を抑制し騒音を低減するサイレントチェーンを提供すること。【解決手段】一対のガイドプレート１１０と複数のリンクプレート１２０、１３０とをロッカーピン１４１、１４２により交互に連結編成されてなるサイレントチェーン１００において、隣接するリンクプレート１２０、１３０あるいはガイドプレート１１０の間で、隣接するロッカーピン１４１、１４２の間に挿入される屈曲抑制バネ１５０が、巻き掛けと逆方向の屈曲時に弾性力を発生するように構成されていること。【選択図】図２
2011089572.tif 000002
【特許請求の範囲】
【請求項１】
一対のガイドプレートと、前記ガイドプレート間に配列された複数のリンクプレートよりなるガイドリンク列と、複数のリンクプレートよりなる非ガイドリンク列とを有し、前記ガイドプレート及びリンクプレートの前後一対のピン孔にロッカー面を有する長、短一対のロッカーピンが該ロッカー面を対抗させて挿通されて、前記ガイドリンク列のリンクプレートと前記非ガイドリンク列のリンクプレートが交互に連結編成されてなり、屈曲を抑制する屈曲抑制部材を備えたサイレントチェーンにおいて、
前記屈曲抑制部材が、隣接するリンクプレートあるいはガイドプレートの間で、隣接するリンクプレートあるいはガイドプレートに挿入されたロッカーピンの間に挿入される屈曲抑制バネからなり、
該屈曲抑制バネが、巻き掛けと逆方向の屈曲時に弾性力を発生するように構成されていることを特徴とするサイレントチェーン。
【請求項２】
前記屈曲抑制バネが、上方に分離個所を有する環状のリング形状に形成され、分離個所の両側に設けられた接触部と、接触部に連続して接触部側に押圧された際に弾性力を発生するように設けられた屈曲抑制部と、前記ロッカーピンと係合するように両側方に設けられた係合部と、巻き掛け方向への屈曲時に前記屈曲抑制部の弾性力より小さな弾性力を発生させるように下方に設けられた復元力発生部とを備えていることを特徴とする請求項１に記載のサイレントチェーン。
【請求項３】
前記屈曲抑制バネが、ガイドプレートと隣接するガイドリンク列のリンクプレートの間に配置されていることを特徴とする請求項１または請求項２に記載のサイレントチェーン。
【請求項４】
前記屈曲抑制バネが、板状の材料を屈曲させて形成されていることを特徴とする請求項１乃至請求項３のいずれかに記載のサイレントチェーン。
【発明の詳細な説明】
【技術分野】
【０００１】
本発明は、多数のリンクプレートを連結ピンにより連結しかつ最外側にガイドプレートを配置してなる動力伝達用のサイレントチェーンに関するものである。
【背景技術】
【０００２】
従来、動力伝達用チェーンとして用いられるサイレントチェーンにおいて、スプロケットやチェーンガイド等の他の部材と当接しないフリースパンで弦振動が発生し、該弦振動に伴う騒音が発生するという問題が知られており、フリースパンにおける弦振動を抑制するためサイレントチェーン自体に屈曲抑制バネを装着したものが公知である。
【０００３】
公知のサイレントチェーン５００は、図５、図６に示すように、各々一対の歯部５２１、５３１及びピン孔５２２、５３２が形成されたガイドリンク列のリンクプレート５２０と非ガイドリンク列のリンクプレート５３０を交互に積層するとともに、これらのリンクプレート５２０、５３０の各ピン孔５２２、５３２内にロッカー面を有する長、短一対のロッカーピン５４１、５４２を、該ロッカー面を対抗させて挿入して各リンクプレート５２０、５３０を枢動可能に連結し、さらにガイドリンク列のリンクプレート５２０の最外側にガイドプレート５１０を配置した構造を有し、幅方向一方のガイドプレート５１０と隣接する非ガイドリンク列のリンクプレート５３０の間には、屈曲抑制バネ５５０が縮設状態で挿入されている。
【０００４】
屈曲抑制バネ５５０は、図７、図８に示すように、波形状に形成され、長、短一対のロッカーピン５４１、５４２を挿入するための一対のピン孔５５１を有しており、屈曲抑制バネ５５０の中央部は、対向するリンクプレート５３０の中央部に圧接し、またその両端部は対向する２つのガイドプレート５１０の各中央部に圧接している。
【０００５】
この屈曲抑制バネ５５０の弾性反発力がサイレントチェーン５００の幅方向に作用することにより、隣り合う各リンクプレート５２０、５３０を押しつけ合って、接触面に摩擦力が付与されてサイレントチェーン５００の屈曲抵抗が増大し、この結果、サイレントチェーン５００の弦振動が抑制されて、動力伝達時の騒音が低減されるようになっている（特許文献１参照）。
【先行技術文献】
【特許文献】
【０００６】
【特許文献１】特開平８−７４９３９号公報（第２頁、図１乃至図４）
【発明の概要】
【発明が解決しようとする課題】
【０００７】
しかしながら、公知のサイレントチェーン５００は、隣り合う各リンクプレート５２０、５３０間の摩擦力による屈曲抵抗の増大により動力伝達効率が低下するとともに、該摩擦に伴って発熱、摩耗等が増大し耐久性が低下するという問題があった。
【０００８】
本発明は、前述したような従来技術の問題を解決するものであって、すなわち、本発明の目的は、簡単な構造で、動力伝達効率の低下や耐久性の低下を伴うことなく、弦振動を抑制し騒音を低減するサイレントチェーンを提供することである。
【課題を解決するための手段】
【０００９】
本請求項１に係る発明は、一対のガイドプレートと、前記ガイドプレート間に配列された複数のリンクプレートよりなるガイドリンク列と、複数のリンクプレートよりなる非ガイドリンク列とを有し、前記ガイドプレート及びリンクプレートの前後一対のピン孔にロッカー面を有する長、短一対のロッカーピンが該ロッカー面を対抗させて挿通されて、前記ガイドリンク列のリンクプレートと前記非ガイドリンク列のリンクプレートが交互に連結編成されてなり、屈曲を抑制する屈曲抑制部材を備えたサイレントチェーンにおいて、前記屈曲抑制部材が、隣接するリンクプレートあるいはガイドプレートの間で、隣接するリンクプレートあるいはガイドプレートに挿入されたロッカーピンの間に挿入される屈曲抑制バネからなり、該屈曲抑制バネが、巻き掛けと逆方向の屈曲時に弾性力を発生するように構成されていることにより、前記課題を解決するものである。
【００１０】
本請求項２に係る発明は、請求項１に記載されたサイレントチェーンの構成に加えて、前記屈曲抑制バネが、上方に分離個所を有する環状のリング形状に形成され、分離個所の両側に設けられた接触部と、接触部に連続して接触部側に押圧された際に大きな弾性力を発生するように設けられた屈曲抑制部と、前記ロッカーピンと係合するように両側方に設けられた係合部と、巻き掛け方向への屈曲時に前記屈曲抑制部の弾性力より小さな弾性力を発生させるように下方に設けられた復元力発生部とを備えていることにより、前記課題をさらに解決するものである。
【００１１】
本請求項３に係る発明は、請求項１または請求項２に記載されたサイレントチェーンの構成に加えて、前記屈曲抑制バネが、ガイドプレートと隣接するガイドリンク列のリンクプレートの間に配置されていることにより、前記課題をさらに解決するものである。
【００１２】
本請求項４に係る発明は、請求項１乃至請求項３のいずれかに記載されたサイレントチェーンの構成に加えて、前記屈曲抑制バネが、板状の材料を屈曲させて形成されていることにより、前記課題をさらに解決するものである。
【発明の効果】
【００１３】
本請求項１に係る発明のサイレントチェーンは、一対のガイドプレートと、ガイドプレート間に配列された複数のリンクプレートよりなるガイドリンク列と、複数のリンクプレートよりなる非ガイドリンク列とを有し、ガイドプレート及びリンクプレートの前後一対のピン孔にロッカー面を有する長、短一対のロッカーピンが該ロッカー面を対抗させて挿通されて、ガイドリンク列のリンクプレートと前記非ガイドリンク列のリンクプレートが交互に連結編成されてなり、屈曲を抑制する屈曲抑制部材を備えたサイレントチェーンにおいて、屈曲抑制部材が、隣接するリンクプレートあるいはガイドプレートの間で、隣接するリンクプレートあるいはガイドプレートに挿入されたロッカーピンの間に挿入される屈曲抑制バネからなり、該屈曲抑制バネが、巻き掛けと逆方向の屈曲時に弾性力を発生するように構成されていることにより、巻き掛けと逆方向の屈曲が屈曲抑制バネの弾性力により抑制されてフリースパンにおける弦振動が低減され騒音が低減されるとともに、各リンクプレート間の摩擦力が増加せず、巻き掛け方向の屈曲抵抗も増加しないため、摩擦による動力伝達効率の低下や耐久性の低下を防止することができる。
【００１４】
本請求項２に係る発明のサイレントチェーンは、請求項１に係るサイレントチェーンが奏する効果に加えて、屈曲抑制バネが上方に分離個所を有する環状のリング形状に形成され、分離個所の両側に設けられた接触部と、接触部に連続して接触部側に押圧された際に大きな弾性力を発生するように設けられた屈曲抑制部と、ロッカーピンと係合するように両側方に設けられた係合部と、巻き掛け方向への屈曲時に屈曲抑制部の弾性力より小さな弾性力を発生させるように下方に設けられた復元力発生部とを備えていることにより、巻き掛けと逆方向の屈曲時のみ接触部が接触して屈曲抑制部によって大きな弾性力が発生し、弦振動が低減され騒音が低減されるとともに、巻き掛け方向への屈曲時は小さな弾性力によって、巻き掛け方向の屈曲抵抗を増大させることなく、屈曲、伸長に対して係合部がロッカーピンの回転に対して円滑に追従するため、屈曲抑制バネがロッカーピンから外れることが防止されるとともに、ロッカーピンと屈曲抑制バネとの接触音が軽減され騒音が低減される。
【００１５】
本請求項３に係る発明のサイレントチェーンは、請求項１または請求項２に係るサイレントチェーンが奏する効果に加えて、屈曲抑制バネがガイドプレートと隣接するガイドリンク列のリンクプレートの間に配置されていることにより、屈曲抑制バネとリンクプレートの摺動がなくなるため、摩擦による動力伝達効率の低下や耐久性の低下を防止することができる。
【００１６】
本請求項４に係る発明のサイレントチェーンは、請求項１乃至請求項３のいずれかに係るサイレントチェーンが奏する効果に加えて、屈曲抑制バネが板状の材料を屈曲させて形成されていることにより、簡単な構造で、容易に製造、組み立てを行うことができる。
【図面の簡単な説明】
【００１７】
【図１】本発明の実施例であるサイレントチェーンの平面図。
【図２】本発明の実施例であるサイレントチェーンの斜視説明図。
【図３】本発明の実施例であるサイレントチェーンの屈曲抑制バネの斜視図。
【図４】本発明の実施例であるサイレントチェーンの動作説明図。
【図５】従来のサイレントチェーンの側面図。
【図６】従来のサイレントチェーンの平面図。
【図７】従来のサイレントチェーンの屈曲抑制バネの平面図。
【図８】従来のサイレントチェーンの屈曲抑制バネの側面図。
【発明を実施するための形態】
【００１８】
本発明は、一対のガイドプレートと、ガイドプレート間に配列された複数のリンクプレートよりなるガイドリンク列と、複数のリンクプレートよりなる非ガイドリンク列とを有し、ガイドプレート及びリンクプレートの前後一対のピン孔にロッカー面を有する長、短一対のロッカーピンが該ロッカー面を対抗させて挿通されて、ガイドリンク列のリンクプレートと前記非ガイドリンク列のリンクプレートが交互に連結編成されてなり、屈曲を抑制する屈曲抑制部材を備えたサイレントチェーンにおいて、屈曲抑制部材が、隣接するリンクプレートあるいはガイドプレートの間で、隣接するリンクプレートあるいはガイドプレートに挿入されたロッカーピンの間に挿入される屈曲抑制バネからなり、該屈曲抑制バネが、巻き掛けと逆方向の屈曲時に弾性力を発生するように構成されてなり、簡単な構造で、動力伝達効率の低下や耐久性の低下を伴うことなく、弦振動を抑制し騒音を低減するサイレントチェーンを提供することができるという効果を奏するものであれば、その具体的な実施態様は如何なるものであっても何ら構わない。
【実施例】
【００１９】
以下に、本発明の実施例であるサイレントチェーンについて、図面に基づいて説明する。
本発明の実施例であるサイレントチェーン１００は、図１に示すように、各々一対の歯部及びピン孔が形成されたガイドリンク列のリンクプレート１２０と非ガイドリンク列のリンクプレート１３０を交互に積層するとともに、これらのリンクプレート１２０、１３０の各ピン孔内にロッカー面を有する長、短一対のロッカーピン１４１、１４２が該ロッカー面を対抗させて挿入されて、各リンクプレート１２０、１３０を枢動可能に連結し、さらにガイドリンク列のリンクプレート１２０の最外側にガイドプレート１１０を配置した構造を有している。
なお、これらのガイドプレート１１０、各リンクプレート１２０、１３０および長、短一対のロッカーピン１４１、１４２の形状、構造は、図５に示す従来のサイレントチェーンと同様である。
【００２０】
そして、一方のガイドプレート１１０と隣接する非ガイドリンク列のリンクプレート１３０の間には長、短一対のロッカーピン１４１、１４２の長さを長くすることで幅方向の間隙が設けられ、該間隙の隣接するガイドプレート１１０に挿入された長ロッカーピン１４１の間に、巻き掛けと逆方向の屈曲時に弾性力を発生するように屈曲抑制バネ１５０が挿入されている。
【００２１】
屈曲抑制バネ１５０は、図３に示すように、上方に分離個所１５１を有する環状のリング形状に形成され、分離個所１５１の両側に対向するように設けられた接触部１５５と、接触部１５５に連続して接触部１５５側に押圧された際に大きな弾性力を発生するように設けられた屈曲抑制部１５２と、ロッカーピン１４１と係合するように両側方に設けられた係合部１５３と、巻き掛け方向への屈曲時に屈曲抑制部１５２の弾性力より小さな弾性力を発生させるように下方に設けられた復元力発生部１５４とを備えている。
【００２２】
次に、以上の構成のサイレントチェーン１００の動作について、図４に基づいて説明する。
サイレントチェーン１００がスプロケットＳに巻き掛けられる前のフリースパンにあって直線状に張っている状態では、図４（ａ）に示すように、屈曲抑制バネ１５０の接触部１５５がちょうど接触する状態にあり、振動等によって巻き掛けと逆方向に屈曲するような力が発生した場合、隣接するガイドプレート１１０に挿入された長ロッカーピン１４１の相対的な回転力となり、係合部１５３が追従して接触部１５５を互いに押圧させる。
【００２３】
この時、接触部１５５に連続して設けられた屈曲抑制部１５２が大きな弾性力を発生するため、サイレントチェーン１００の巻き掛けと逆方向への屈曲が抑制され、弦振動が低減される。
【００２４】
サイレントチェーン１００がスプロケットＳに巻き掛けられた状態では、図４（ｂ）に示すように、隣接するガイドプレート１１０に挿入された長ロッカーピン１４１の相対的に回転し、係合部１５３が追従して接触部１５５は互いに離れた状態となり、屈曲抑制部１５２は屈曲を抑制する力を発生させない。
【００２５】
また、屈曲抑制バネ１５０は、復元力発生部１５４によってサイレントチェーン１００がスプロケットＳに巻き掛けられる方向と逆の方向に弾性力を有しているが、該弾性力は、サイレントチェーン１００がスプロケットＳに巻き掛けられた状態の時にほぼゼロになるように設定されており、サイレントチェーン１００の巻き掛け方向の屈曲抵抗への影響はない。
【００２６】
以上説明したように、本発明によれば、巻き掛けと逆方向の屈曲が屈曲抑制バネの弾性力により抑制されてフリースパンにおける弦振動が低減され騒音が低減されるとともに、各リンクプレート間の摩擦力が増加せず、巻き掛け方向の屈曲抵抗も増加しないため、摩擦による動力伝達効率の低下や耐久性の低下を防止することができるなど、その効果は甚大である。
【００２７】
なお、上記実施例では、ガイドプレート１１０と隣接する非ガイドリンク列のリンクプレート１３０に間隙が設けられ屈曲抑制バネ１５０が挿入されているが、ガイドプレート１１０とガイドリンク列の最外側のリンクプレート１２０を隣接（最外側の非ガイドリンク列のリンクプレート１３０が最外側のリンクプレート１２０より内側に配置）させて間隙が設けられ屈曲抑制バネ１５０が挿入されても良く、その場合、屈曲抑制バネ１５０とリンクプレート１２０の摺動がなくなるため、摩擦による動力伝達効率の低下や耐久性の低下をさらに防止することができる。
また、幅方向中央寄りのいずれかのリンクプレート１２０、１３０の間に間隙が設けられ屈曲抑制バネ１５０が挿入されても良い。
【００２８】
また、上記実施例では、屈曲抑制バネ１５０は、隣接するガイドプレート１１０に挿入された長ロッカーピン１４１の間に配置されているが、間隙の位置に応じて、隣接する短ロッカーピン１４２の間に配置しても良い。
【符号の説明】
【００２９】
１００、５００  ・・・サイレントチェーン
１１０、５１０  ・・・ガイドプレート
１２０、５２０  ・・・ガイドリンク列リンクプレート
５２１  ・・・歯部
５２２  ・・・ピン孔
１３０、５３０  ・・・非ガイドリンク列リンクプレート
５３１  ・・・歯部
５３２  ・・・ピン孔
１４１、５４１  ・・・長ロッカーピン
１４２、５４２  ・・・短ロッカーピン
１５０、５５０  ・・・屈曲抑制バネ
１５１          ・・・分離個所
５５１  ・・・ピン孔
１５２          ・・・屈曲抑制部
１５３          ・・・係合部
１５４          ・・・復元力発生部
１５５          ・・・接触部
【図１】
2011089572.tif 000003
【図２】
2011089572.tif 000004
【図３】
2011089572.tif 000005
【図４】
2011089572.tif 000006
【図５】
2011089572.tif 000007
【図６】
2011089572.tif 000008
【図７】
2011089572.tif 000009
【図８】
2011089572.tif 000010